(57)【特許請求の範囲】
【請求項１】
所定方向に配列されたセンサ素子アレイと原稿とを相対移動させることにより原稿の画像を読取る画像読取装置において、
原稿を前記所定方向に線状に照明する光源手段と前記センサ素子アレイを保持する保持部材と、
前記保持部材の位置を規制する第１規制手段であって、前記所定方向に自由度を持たせつつ、前記所定方向に直交する方向の前記保持部材の前記画像読取装置に対する位置を規制する第１規制手段と、
前記保持部材の位置を規制する第２規制手段であって、前記保持部材の前記所定方向の中央部に設けられ、前記所定方向に直交する方向に自由度を持たせつつ、前記所定方向の前記保持部材の前記画像読取装置に対する位置を規制する第２規制手段と、
を備えることを特徴とする画像読取装置。
【請求項２】
原稿を載置するための原稿台と、
前記保持部材を前記原稿台に沿って移動させる移動手段と、
を備えることを特徴とする請求項１記載の画像読取装置。
【請求項３】
前記第１規制手段は、前記移動手段に設けられた凸状形状部材と、前記保持部材に設けられた前記所定方向に延びた長穴であることを特徴とする請求項２記載の画像読取装置。
【請求項４】
前記第２規制手段は、前記移動手段に設けられた凸状形状部材と、前記保持部材に設けられた前記所定方向に直交する方向に向いた凹状形状部材であることを特徴とする請求項２記載の画像読取装置。
【請求項５】
前記光源手段は、発光素子と、該発光素子の光を原稿へと導く導光体と、を有することを特徴とする請求項１記載の画像読取装置。
【請求項６】
請求項１乃至５のいずれか１項に記載の画像読取装置と、
前記画像読取装置により読取られた画像情報を記録媒体に形成する画像形成手段と、
を備えることを特徴とする画像形成装置。
【発明の詳細な説明】
【０００１】
【発明の属する技術分野】
本発明は、例えば、スキャナ、複写機、プリンタ、あるいは、ファクシミリ装置などの、原稿の画像を読み取ったり、シート上に画像を形成する、画像読取装置や画像形成装置に関するものである。
【０００２】
【従来の技術】
従来、複写機や、複写機能とファクシミリ機能を有する複合機、オートドキュメントフィーダ（ＡＤＦ）を有するイメージスキャナとして、原稿をガラス面上に固定して走査する機能と光学系を固定して原稿を移動させながら走査する（流し読み）機能の双方を持った装置が提案されている。
【０００３】
たとえば、図１０に示すように画像読取部において画像読取手段である密着型イメージセンサ（ＣＩＳ）１がガラス２の下に配置されている。ＣＩＳ１を副走査方向に移動させながら、ガラス２上に載置された静止原稿Ｄ１を読み取り、あるいは第２ガラス２ａでは静止するＣＩＳ１が移動する原稿Ｄ２を読み取るようになっている。
【０００４】
ここで、従来の密着型イメージセンサの構成例を説明する。図１１はいわゆる導光体光源としてＬＥＤ３とこのＬＥＤ３からの光を原稿へと導く導光体４を含んでいる。ＬＥＤ３は導光体４の長手方向のいずれかの端部に固定されており（図示例では手前側に１個設けられる）、ＬＥＤ３から発せられた光は導光体４内で反射を繰り返しながら進行することで、導光体４の全長から出射する。
【０００５】
導光体４から出射した光は、図１１（Ｂ）のようにガラス２上に載置された静止原稿に照射され、その反射光がセルフォックレンズアレイ５を介してＣＣＤ等の１次元受光素子アレイ６に結像するようになっている。なお、これらのイメージセンサ構成部材は、枠体７内に配置構成される。
【０００６】
あるいはまた、従来の密着型イメージセンサの構成例として、光源として複数のＬＥＤを列設したＬＥＤアレイを持ち、セルフォックレンズアレイの両側にそのＬＥＤアレイが一対配置されるものが知られている。
【０００７】
【発明が解決しようとする課題】
しかしながら、上記のような従来技術の場合には、下記のような問題が生じていた。
【０００８】
イメージセンサ構成部材を収容している枠体７には、図１２に示すように、位置決め用丸穴７ａと長穴７ｂとが設けられており、キャリッジ８のボス８ａに位置決めされキャリッジ８に装着されて、ＣＩＳ１を構成している。
【０００９】
ここで、キャリッジ８は、軽量化、低コスト化の面から樹脂により成形されているため、図１２（Ｂ）中矢印で示すように長手方向（主走査方向）に反ってしまう可能性がある。
【００１０】
キャリッジ８が長手方向（主走査方向）に反ってしまうと、ボス８ａが倒れてしまい、軸心が傾いた状態となってしまう。
【００１１】
この様な状態で、枠体７をキャリッジ８に取り付けようとすると、枠体７の丸穴７ａと長穴７ｂがボス８ａに合わなくなってしまい、無理に組み付けようとするとボス８ａが破損してしまう虞があった。
【００１２】
また、枠体７の丸穴７ａと長穴７ｂがボス８ａに組み付けられても、組み付け後の樹脂の形状変化や（枠体７が光源を収容していることによる）温度変化によってキャリッジ８が長手方向（主走査方向）に反ってしまい、ボス８ａは丸穴７ａや長穴７ｂにその形状変化を規制されて破損してしまう虞があった。
【００１３】
また、キャリッジ８の長手方向（主走査方向）の反りに伴って位置決め用の丸穴７ａがズレてしまい、すなわち、ＣＩＳ１の移動範囲がズレてしまい、画像の幾何学的な精度の低下を招く虞があった。
【００１４】
本発明は上記の従来技術の課題を解決するためになされたもので、その目的とするところは、部品同士の精度を向上させ、画像の幾何学的な精度を向上させた信頼性の高い画像読取装置及び画像形成装置を提供することにある。
【００１５】
【課題を解決するための手段】
上記目的を達成するために本発明にあっては、
所定方向に配列されたセンサ素子アレイと原稿とを相対移動させることにより原稿の画像を読取る画像読取装置において、
原稿を前記所定方向に線状に照明する光源手段と前記センサ素子アレイを保持する保持部材と、
前記保持部材の位置を規制する第１規制手段であって、前記所定方向に自由度を持たせつつ、前記所定方向に直交する方向の前記保持部材の前記画像読取装置に対する位置を規制する第１規制手段と、
前記保持部材の位置を規制する第２規制手段であって、前記保持部材の前記所定方向の中央部に設けられ、前記所定方向に直交する方向に自由度を持たせつつ、前記所定方向の前記保持部材の前記画像読取装置に対する位置を規制する第２規制手段と、
を備えることを特徴とする。
【００１６】
原稿を載置するための原稿台と、
前記保持部材を前記原稿台に沿って移動させる移動手段と、
を備えることも好適である。
【００１７】
前記第１規制手段は、前記移動手段に設けられた凸状形状部材と、前記保持部材に設けられた前記所定方向に延びた長穴であることも好適である。
【００１８】
前記第２規制手段は、前記移動手段に設けられた凸状形状部材と、前記保持部材に設けられた前記所定方向に直交する方向に向いた凹状形状部材であることも好適である。
【００２１】
前記光源手段は、発光素子と、該発光素子の光を原稿へと導く導光体と、を有することも好適である。
【００２２】
画像形成装置にあっては、上記記載の画像読取装置と、
前記画像読取装置により読取られた画像情報を記録媒体に形成する画像形成手段と、
を備えることを特徴とする。
【００２３】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２４】
（実施の形態１）
図１〜図８を参照して、実施の形態１に係る画像形成装置について説明する。
この実施の形態は本発明を画像形成装置の一例として複写機に適用したもので、図１は本実施の形態に係る複写機を前方から見た透視図、図２はその複写機の斜視図、図３は画像読取部の拡大透視図である。
【００２５】
まず、複写機全体の概略構成について説明する。
【００２６】
図１、図２および図３において、１０１は装置本体、１０２はシート原稿Ｄを複数枚積載し、１枚ずつ分離・搬送するＡＤＦ（オートドキュメントフィーダ）圧板、１０３はシート原稿Ｄの表面および原稿台ガラス上のブック原稿の画像情報を読み取る画像読取装置としての画像読取部、１０４はＬＥＤアレイを使用した電子写真プリンタからなる記録装置本体、１０５は表示部・入力キー等により構成される操作部、１０６は原稿載置台、１０７は原稿台ガラス、１０８は走査ユニットとしての密着型のイメージセンサユニット、１０９は流し読みガラスである。
【００２７】
また、１１０はＬＥＤヘッドユニット、１１１は画像形成部、１１２はカセット給紙部、１１３は記録装置本体１０４の上部にシート材Ｐを複数枚積載することができるように構成された記録シート排紙部、１１４はカートリッジカバー部、１１５はＡＤＦ分離部、１１６は排紙搬送部、１１７は原稿排紙部、１１８はブック原稿を押圧する原稿押え板、１１９は画像読取部１０３と記録装置本体１０４との接合部、１２０は複写機の制御部、１２１はシート原稿搬送部、１２２は両面搬送部カバー、１２３は搬送方向切換部、１２４はレジスト搬送部、１２５は記録装置本体１０４内部に配置されたＭＰ（マルチペーパー）給紙部である。
【００２８】
まず、ブック原稿の読取について説明する。
【００２９】
ＡＤＦ圧板１０２はヒンジ部１０２ａを介して画像読取部１０３に回動可能に取り付けられている。ヒンジ部１０２ａは装置の背面側左右に各１個（左側は図示せず）配設され、ＡＤＦ圧板１０２の手前側を持ち上げることで開閉可能としている（図２、両矢印参照）。ヒンジ部１０２ａはダンパやカム、バネ部材などの組合わせによりＡＤＦ圧板１０２を所定の角度（たとえば７０°）までの開いた状態で静止させることが可能である。ＡＤＦ圧板１０２が開いた状態では原稿台ガラス１０７上に原稿をセットすることが可能になっている。
【００３０】
イメージセンサユニット１０８は発光素子としてのＬＥＤと樹脂製導光体などからなる光源手段から原稿の画像情報面に光を照射し、画像情報面で反射した反射光を結像手段としてのセルフォックレンズ（商標）で光電変換手段としての一次元センサ素子アレイに結像して画像情報を読み取るものである。
【００３１】
イメージセンサユニット１０８は図４に示すように、ガイド軸１０３ｃに沿って装置の左右方向に移動可能になっており、タイミングベルト１０３ａ、駆動プーリ１０３ｂおよび図示しない駆動モータなど（移動手段に相当）により所望の位置に移動可能である。この場合、筐体としてのキャリッジ１０３ｄ（移動手段に相当）を介してガイド軸１０３ｃに支持されるとともに、スプリング１０３ｅによって上方へ付勢される。イメージセンサユニット１０８と原稿台ガラス１０７の間にはスペーサ１０８ａが介挿される。イメージセンサユニット１０８はブック読取範囲開始位置１０７ａからブック読取範囲終了位置１０７ｂまでの所定の範囲の原稿台ガラス１０７上に置かれた原稿の画像を等速移動することで読み取るようになっている。
【００３２】
原稿台ガラス１０７上部に張り出したジャンプ台１０９ｂの下面には白色シート１０９ｃが配設され、イメージセンサユニット１０８の読取位置がその下部にあるときにイメージセンサユニット１０８のシェーディング補正を行う。ブックスキャンを行う場合、１回のスキャンのたびにイメージセンサユニット１０８はジャンプ台１０９ｂの下部を通過するためスキャンのたびにシェーディング補正を行うことができる。このことは光源の経時変化に応じて光量が変化する移動型のイメージセンサユニット１０８の光源の影響を減らすために有効である。
【００３３】
原稿押え板１１８は白色シート、スポンジなどを積層して構成され、原稿台ガラス１０７上に置かれた原稿の浮きを防止する。原稿押え板１１８は左端１１８ａがブック読取範囲開始位置１０７ａの左側、右端１１８ｂがブック読取範囲終了位置１０７ｂの右側まで延設されている。
【００３４】
つぎに、シート原稿Ｄの読取について説明する。
【００３５】
ＡＤＦ分離部１１５は図示しないアクチュエータにより上下動可能に配設されたピックアップローラ１１５ａ、分離ローラ１１５ｂ、分離ローラ１１５ｂに圧接され逆方向に回転するリタードローラ１１５ｃなどからなる。
【００３６】
まず、原稿載置台１０６上に表（おもて）面を上に向けて積載したシート原稿Ｄをピックアップローラ１１５ａを下げることで押圧し、分離ローラ１１５ｂおよびリタードローラ１１５ｃの間に送り込み、リタードローラ１１５ｃと圧接した分離ローラ１１５ｂで１枚ずつ分離する。つぎに、図示しない押圧バネにより押圧された分離搬送コロ１２１ａ，１２１ｂと圧接した読取搬送ローラ１２１ｃにより、原稿ガイド１２１ｄに沿ってＵターン紙パスを搬送する。
【００３７】
つぎに、流し読みガラス１０９部に搬送し、図示しない付勢バネで押圧されたシート原稿押え板１２１ｅにより、シート原稿Ｄを流し読みガラス１０９に押圧して密着させつつ、シート原稿読取位置１０９ａ上でシート原稿Ｄの表面の画像情報を読み取る。このとき、イメージセンサユニット１０８はシート原稿読取位置１０９ａに移動する。
【００３８】
つぎに、シート原稿Ｄをジャンプ台１０９ｂでＡＤＦ圧板１０２側に戻し、押圧バネにより押圧された読取搬送コロ１２１ｆと圧接した読取搬送ローラ１２１ｃによって搬送する。
【００３９】
さらに、押圧バネによって押圧された排紙コロ１１７ａと圧接した排紙ローラ１１７ｂにより原稿排紙トレイ１１７ｃに排紙するようになっている。排紙ローラ１１７ｂの上流側には読取済みスタンプ１２１ｇが配設され、シート原稿Ｄの表面に押印可能になっている。
【００４０】
原稿載置台１０６はＡＤＦ圧板１０２に固定的に配設されており、原稿載置台１０６にはシート原稿Ｄの搬送方向と直角方向（シート原稿Ｄの幅方向）にスライド可能なスライダ１０６ａが設けられている。このスライダ１０６ａによって原稿載置台１０６上に積載されたシート原稿Ｄの両サイドを揃えることができるようになっている。また、原稿載置台１０６上には原稿長さセンサ１０６ｂが配設され、セットされたシート原稿Ｄの長さを検知することができる。また、ＡＤＦ分離部１１５にはシート原稿Ｄの幅方向に複数配設された原稿幅センサ１１５ｄによってシート原稿Ｄの有無と幅を検知することができる。原稿幅センサ１１５ｄと原稿長さセンサ１０６ｂの検知出力の組合わせにより原稿サイズとセット方向を検知することができる。
【００４１】
また、シート原稿搬送部１２１には原稿給送センサ１２１ｈと原稿端センサ１２１ｉが配設されている。原稿給送センサ１２１ｈはＡＤＦ分離部１１５からシート原稿Ｄが繰り出されたかどうかや、シート原稿Ｄの後端の通過を検知する。
原稿端センサ１２１ｉはシート原稿Ｄの先端および後端の通過を検知し、その出力は読取のタイミング制御に使用される。
【００４２】
さて、上述したように本発明のイメージセンサユニット１０８において、光源により原稿を照射し、原稿からの反射光を結像光学系を介してセンサに入射させることにより原稿画像を読み取るようになっている。
【００４３】
ここで、図５は本実施の形態に係るイメージセンサユニット１０８の具体的構成例を示している。イメージセンサユニット１０８は、光源として発光素子であるＬＥＤ１０とこのＬＥＤ１０で発せられた光を原稿へと導く導光体１１を含み、結像光学系を構成するセルフォックレンズアレイ１２の両側に沿って一対の導光体光源が設けられる。なお、セルフォックレンズアレイ１２の直下に受光素子としてのセンサ１３が配設され、イメージセンサ構成部材は枠体（筐体、保持部材）１４内に光源ユニットとして配置構成される。
【００４４】
ＬＥＤ１０は導光体１１の長手方向のいずれかの端部に固定されるが、図示例では一方の導光体１１の一端と他方の導光体１１の他端にそれぞれ１個設けられる。このように２つの導光体１１の間で反対側に設け、かつ中心軸Ｃに対して点対称の配置構成とする。
【００４５】
各ＬＥＤ１０から発せられた光はそれぞれの導光体１１内で反射を繰り返しながら進行することで、導光体４の全長から出射する。導光体１１から出射した光は、図６のように原稿台ガラス１０７上のブック原稿に照射され、それぞれの反射光がセルフォックレンズアレイ１２を通ってセンサ１３に入射する。
【００４６】
ここで、本発明の特徴的な構成を説明する。図７（Ａ）は枠体１４の概略上視図、同図（Ｂ）は枠体１４とキャリッジ１０３ｄとの組み付けを示す図であり、図８は枠体１４とキャリッジ１０３ｄとが組み合わさった状態を示す概略図である。
【００４７】
イメージセンサ構成部材を収容している枠体１４には、両端に２つの副走査方向位置決め部としての長穴１５，１６と、長穴１５，１６の間に主走査方向位置決め部１７と、が設けられている。
【００４８】
そして、キャリッジ１０３ｄには、両端にボス１８，１９（第１規制手段、凸状形状部材に相当）が設けられ、略中央部にはボス２０（第２規制手段、凸状形状部材に相当）が設けられており、枠体１４の長穴１５，１６（第１規制手段に相当）は、ボス１８，１９により主走査方向（長手方向、所定方向）には自由度を持ちつつ副走査方向（短軸方向）の位置を規制され、主走査方向位置決め部１７（第２規制手段、凹状形状部材に相当）は、ボス２０により副走査方向には自由度を持ちつつ主走査方向（長手方向）の位置を規制されることにより、枠体１４はボス１８，１９，２０にガイドされ上下方向（スプリング１０３ｅによって上方に付勢されている）のみ移動可能にキャリッジ１０３ｄに保持されている。
【００４９】
このように構成されることにより、軽量化、低コスト化の面から樹脂により成形されるキャリッジ１０３ｄが、長手方向（主走査方向）に反って両端のボス１８，１９が倒れて軸心が傾いた状態となってしまっても、ボス１８，１９と組み合わされる長穴１５，１６はボスの軸心の傾く方向に長軸すなわち自由度を有するのでボスの傾きを許容することができ、ボス１８，１９が破損してしまうということはなくなる。
【００５０】
また、主走査方向位置決め部１７はキャリッジ１０３ｄの略中央部に設けられたボス２０に主走査方向（長手方向）の位置を規制されているので、キャリッジ１０３ｄが長手方向（主走査方向）に反った場合において、枠体１４すなわちイメージセンサユニット１０８の主走査方向（長手方向）のズレを最小限に抑えることができ、画像の幾何学的な精度を向上させることができ、画像品質の低下を防止することが可能となる。
【００５１】
また、長穴１５，１６は、ボス１８，１９により主走査方向（長手方向）には自由度を持ちつつ副走査方向の位置を規制され、主走査方向位置決め部１７は、ボス２０により副走査方向には自由度を持ちつつ主走査方向（長手方向）の位置を規制されており、上方へはスプリング１０３ｅによってガラス面に付勢されているので、キャリッジ１０３ｄが長手方向（主走査方向）に反っても、枠体１４すなわちイメージセンサユニット１０８が主走査方向（長手方向）や副走査方向にブレることはなく、画像の幾何学的な精度を向上させることができ、画像品質が低下することはない。
【００５２】
（実施の形態２）
図９には、実施の形態２が示されている。なお、実施の形態１と同様の構成部分については同一の符号を付して、その説明は省略する。
【００５３】
上記実施の形態１では、キャリッジ１０３ｄの略中央部にボス２０が設けられ、主走査方向位置決め部１７はボス２０により副走査方向には自由度を持ちつつ主走査方向（長手方向）の位置を規制されていたが、本実施の形態では、キャリッジ３０（移動手段に相当）をガイド軸１０３ｃに沿って移動可能にする軸受け部材４０（移動手段に相当）にボス４１（第２規制手段、凸状形状部材に相当）を設け、このボス４１によって、主走査方向位置決め部１７は副走査方向には自由度を持ちつつ主走査方向（長手方向）の位置を規制されるものである。
【００５４】
以下、本実施の形態の特徴的な構成について説明すると、イメージセンサ構成部材を収容している枠体１４は、両端に２つの副走査方向位置決め部としての長穴１５，１６と、長穴１５，１６の間に主走査方向位置決め部１７と、を備えている。
【００５５】
そして、キャリッジ３０には両端にボス３１，３２（第１規制手段、凸状形状部材に相当）が設けられ、軸受け部材４０にはボス４１が設けられており、枠体１４の長穴１５，１６は、ボス３１，３２により主走査方向（長手方向）には自由度を持ちつつ副走査方向（短軸方向）の位置を規制され、主走査方向位置決め部１７は、ボス４１により副走査方向には自由度を持ちつつ主走査方向（長手方向）の位置を規制されることにより、枠体１４はボス３１，３２，４１にガイドされ上下方向（スプリング１０３ｅによって上方に付勢されている）のみ移動可能にキャリッジ３０に保持されている。
【００５６】
このように構成されることにより、軽量化、低コスト化の面から樹脂により成形されるキャリッジ３０が、長手方向（主走査方向）に反って両端のボス３１，３２が倒れて軸心が傾いた状態となってしまっても、ボス３１，３２と組み合わされる長穴１５，１６はボスの軸心の傾く方向に長軸すなわち自由度を有するのでボスの傾きを許容することができ、ボス３１，３２が破損してしまうということはなくなる。
【００５７】
さらに、本実施の形態においては、軸受け部材４０に設けられたボス４１によって主走査方向位置決め部１７を規制しているので、ガイド軸１０３ｃから位置決めに関わる介在部品が最小限となり、枠体１４すなわちイメージセンサユニット１０８の主走査方向（長手方向）の位置決めの精度を向上させることが可能となる。
【００５８】
また、ボス４１をキャリッジ３０の略中央部相当部に設けることで、キャリッジ３０が長手方向（主走査方向）に反った場合において、枠体１４すなわちイメージセンサユニット１０８の主走査方向（長手方向）のズレを最小限に抑えることができ、画像の幾何学的な精度を向上させることができ、画像品質の低下を防止することが可能となる。
【００５９】
また、長穴１５，１６は、ボス３１，３２により主走査方向（長手方向）には自由度を持ちつつ副走査方向の位置を規制され、主走査方向位置決め部１７は、ボス４１により副走査方向には自由度を持ちつつ主走査方向（長手方向）の位置を規制されており、上方へはスプリング１０３ｅによってガラス面に付勢されているので、キャリッジ３０が長手方向（主走査方向）に反っても、枠体１４すなわちイメージセンサユニット１０８が主走査方向（長手方向）や副走査方向にブレることはなく、画像の幾何学的な精度を向上させることができ、画像品質が低下することはない。
【００６０】
上述したように、枠体１４と、キャリッジ１０３ｄまたはキャリッジ３０との位置決め関係において、枠体１４に、主走査方向（長手方向）には自由度を持ちつつ副走査方向の位置を規制される２つの長穴が設けられ、その２つの長穴の間に、副走査方向には自由度を持ちつつ主走査方向（長手方向）の位置を規制される主走査方向位置決め部が設けられていれば、キャリッジ１０３ｄまたはキャリッジ３０の長手方向（主走査方向）の反りによる問題の発生を防止することができる。
【００６１】
なお、上述した実施の形態においては、枠体１４にイメージセンサ構成部材が備えられた例について示したが、枠体１４が、原稿を主走査方向に線状に照明する光源手段を有する光源ユニットを備えたものであれば、光源の熱による温度変化によってキャリッジの長手方向（主走査方向）の反りによる問題の発生を防止することができる。
【００６２】
また、上述した実施の形態においては、枠体側に穴形状を設け、キャリッジ側にボスを設けたが、枠体側にボスを設けてキャリッジ側を穴形状としてもよい。
【００６３】
【発明の効果】
以上説明したように、本発明によれば、所定方向に配列されたセンサ素子アレイと原稿とを相対移動させることにより原稿の画像を読取る画像読取装置において、原稿を前記所定方向に線状に照明する光源手段とセンサ素子アレイを保持する保持部材と、保持部材の位置を規制するものであって、所定方向に自由度を持たせつつ、所定方向に直交する方向の保持部材の画像読取装置に対する位置を規制する第１規制手段と、保持部材の位置を規制するものであって、保持部材の所定方向の中央部に設けられ、所定方向に直交する方向に自由度を持たせつつ、所定方向の前記保持部材の画像読取装置に対する位置を規制する第２規制手段を備えるので、センサ素子アレイを保持する保持部材の所定方向のずれを最小限に抑えることができ、部品同士の位置決め精度を向上させることができ、画像の幾何学的な精度を向上させた信頼性の高い装置を提供することが可能となる。
【図面の簡単な説明】
【図１】実施の形態１に係る画像形成装置を前方から見た透視図である。
【図２】実施の形態１に係る画像形成装置の斜視図である。
【図３】実施の形態１に係る画像形成装置の画像読取部の拡大透視図である。
【図４】実施の形態１に係る画像形成装置の画像読取部の内部構造を示す図である。
【図５】実施の形態１に係るイメージセンサユニットの構成例を示す斜視図である。
【図６】実施の形態１に係るイメージセンサユニットの構成例を示す断面図である。
【図７】実施の形態１に係るイメージセンサユニットの構成部品を示し、（Ａ）は枠体の概略上視図、（Ｂ）は枠体とキャリッジとの組み付けを示す図である。
【図８】実施の形態１に係るイメージセンサユニットの構成部品を示し、枠体とキャリッジとが組み合わさった状態を示す概略図である。
【図９】実施の形態２に係るイメージセンサユニットの構成部品を示し、枠体とキャリッジとが組み合わさった状態を示す概略図である。
【図１０】従来の画像読取装置における画像読取部の内部構造を示す図である。
【図１１】従来のイメージセンサユニットの構成例を示す図である。
【図１２】従来のイメージセンサユニットの構成例を示す図である。
【符号の説明】
１０  ＬＥＤ
１１  導光体
１２  セルフォックレンズアレイ
１３  センサ
１４  枠体
１５，１６  長穴
１７  主走査方向位置決め部
１８，１９，２０，３１，３２，４１  ボス
３０，１０３ｄ  キャリッジ
４０  軸受け部材
１０１  装置本体
１０２  ＡＤＦ圧板
１０３  画像読取部
１０３ｃ  ガイド軸
１０３ｅ  スプリング
１０４  記録装置本体
１０５  操作部
１０６  原稿載置台
１０７  原稿台ガラス
１０８  イメージセンサユニット
１０９  流し読みガラス
１１０  ＬＥＤヘッドユニット
１１１  画像形成部
１１２  カセット給紙部
１１３  記録シート排紙部
１１４  カートリッジカバー部
１１５  ＡＤＦ分離部
１１６  排紙搬送部
１１７  原稿排紙部
１１８  原稿押え板
１２０  制御部
１２１  シート原稿搬送部
１２２  両面搬送部カバー
１２３  搬送方向切換部
１２４  レジスト搬送部
１２５  ＭＰ給紙部
【図１】
0004636699.tif 000002
【図２】
0004636699.tif 000003
【図３】
0004636699.tif 000004
【図４】
0004636699.tif 000005
【図５】
0004636699.tif 000006
【図６】
0004636699.tif 000007
【図７】
0004636699.tif 000008
【図８】
0004636699.tif 000009
【図９】
0004636699.tif 000010
【図１０】
0004636699.tif 000011
【図１１】
0004636699.tif 000012
【図１２】
0004636699.tif 000013